(57)【要約】【課題】切断端縁からほつれない布地を用いて、切断端縁を切りっ放しにしておいてもズレにくい女性用ボトム衣類を提供すること。【解決手段】切断端縁がほつれない編組織を有する伸縮布地を用い、脚口５及びウェスト口４を切りっぱなしとし、脚口５及びウェスト口４の少なくとも一方の近傍に樹脂でプリントを施すことにより、脚口５及びウェスト口４の少なくとも一方の伸長を抑制してある。【選択図】図１
2009215676.tif 000002
【特許請求の範囲】
【請求項１】
切断端縁がほつれない編組織を有する伸縮布地を用い、脚口及びウェスト口を切りっぱなしとしたボトム衣類において、前記脚口及びウェスト口の少なくとも一方の近傍に樹脂でプリントを施すことにより、該脚口及びウェスト口の少なくとも一方の伸長を抑制してあることを特徴とした女性用ボトム衣類。
【請求項２】
前記脚口及びウェスト口の少なくとも一方の全長に亘ってプリントを施してある請求項１に記載の女性用ボトム衣類。
【請求項３】
前記脚口及びウェスト口の少なくとも一方の一箇所にプリントを施してある請求項１に記載の女性用ボトム衣類。
【請求項４】
前記脚口の左右各一箇所にプリントを施してある請求項３に記載の女性用ボトム衣類。
【請求項５】
前記脚口及びウェスト口の少なくとも一方の近傍に、複数のプリントを周方向に沿って施してある請求項１に記載の女性用ボトム衣類。
【発明の詳細な説明】
【技術分野】
【０００１】
本発明は、ガードル、ショーツ、スパッツ等の女性用ボトム衣類に関する。
【背景技術】
【０００２】
一般的に、ウェスト口及び脚口を有する女性用ボトム衣類は、伸縮布地を裁断して前身頃及び後身頃を形成し、前身頃及び後身頃の両脇を縫製して成る。また、裁断端縁からほつれないようにウェスト口及び脚口に沿って端始末を施し、さらに、ウェスト口及び脚口に沿って伸縮紐を装着していた。
ところが、このような処理を施したウェスト口及び脚口は分厚くなり、縫い目や伸縮紐が肌に当たって着用感が悪いという欠点があった。
【０００３】
従来、伸縮地から成る前身と後身とから形成し、裁断したままの脚口の裾から上方に向けて、シリコーン樹脂を塗布して伸縮地の弾性パワーを大きくする下段の強伸縮抵抗帯と、それよりも弾性パワーの小さい上段の弱伸縮抵抗帯とを連設したショーツが知られている（特許文献１参照）。
このショーツは、脚口が切りっぱなしであるため着用感は良いが、シリコーン樹脂を塗布した部分のほつれは防止されているものの、前面の脚口には特にほつれ止め処理が施されていないので、長期間使用するとほつれる虞があった。
さらに、近年、切断端縁がほつれないように編んだ伸縮布地が開発されているが、このような布地でボトム衣類を形成すると、切りっ放しのままではウェスト口及び脚口の緊迫力が小さいため、ウェスト口や脚口が伸びてずれやすい。
【０００４】
【特許文献１】実用新案登録第３１２３１３７号公報
【発明の開示】
【発明が解決しようとする課題】
【０００５】
本発明が解決しようとする課題は、切断端縁からほつれない布地を用いて、切断端縁を切りっ放しにしておいてもズレを起こしにくい女性用ボトム衣類を提供することにある。
【課題を解決するための手段】
【０００６】
本発明の女性用ボトム衣類は、切断端縁がほつれない編組織を有する伸縮布地を用い、脚口及びウェスト口を切りっぱなしとし、脚口及びウェスト口の少なくとも一方の近傍に樹脂でプリントを施すことにより、該脚口及びウェスト口の少なくとも一方の伸長を抑制してある。
前記脚口及びウェスト口の少なくとも一方の全長に亘ってプリントを施すことがある。
また、前記脚口及びウェスト口の少なくとも一方の一箇所にプリントを施すこともある。この場合、前記脚口の左右各一箇所にプリントを施しても良い。
前記脚口及びウェスト口の少なくとも一方の近傍に、複数のプリントを周方向に沿って施すこともある。
【発明の効果】
【０００７】
本発明によれば、ウェスト口及び脚口に端処理を施したり伸縮紐を縫い付けなくても切断端縁がほつれる心配がないため、端部がフラットな仕上がりとなって着用感が良好である。また、ウェスト口及び脚口の少なくとも一方の伸びを抑制してあるので、切りっぱなしのままでも、ウェスト口や脚口が着用中に伸びてずれるのを防ぐことができる。
【発明を実施するための最良の形態】
【０００８】
以下、本発明の実施例を図面に基づいて詳細に説明する。
図１及び図２は、女性用ボトム衣類がショーツである実施例１を示し、図１はショーツ１の正面図、図２はショーツ１の展開図である。
ショーツ１は、切断端縁がほつれない編織組織を有する伸縮布地を用いて形成され、図１に示すように、前身頃２及び後身頃３を備える。
前身頃２及び後身頃３は、股下で連設するよう布地から一体に裁断され（図２）、前身頃２の両脇と後身頃３の両脇とを縫製してある。また、ウェスト口４及び左右の脚口５は切りっぱなしとしてある。
【０００９】
前身頃２及び後身頃３の外面には、ウェスト口４及び左右の脚口５の全長に亘って樹脂で帯状にプリントし、それぞれ連続した帯状の伸長抑制部６，７を形成してある。プリントする樹脂は、前身頃２及び後身頃３の素材となる伸縮布地よりも伸縮し難いウレタン樹脂等とする。
ウェスト口４及び脚口５に伸長抑制部６，７を設けてあるので、着用時にウェスト口４及び脚口５が伸びて、ウェスト口４がずり落ちたり、脚口５がヒップ部上方へずり上がるのを防ぐことができる。
また、樹脂の塗布量を変えて伸長抑制部６，７の幅及び厚みを変更することにより、ウェスト口４及び脚口５の緊迫力を調節できる。
【００１０】
図３及び図４は、本発明の実施例２を示し、図３は、ショーツ１’の背面図、図２は、ショーツ１’の展開図である。
後身頃３の外面において、左右の脚口５の近傍に樹脂で一箇所ずつプリントを施し、花柄の伸長抑制部８を形成してある。
伸長抑制部８の寸法は、その弾性率に応じて脚口５の伸長を抑制できるよう適当な大きさとする。なお、左右の伸長抑制部８は、対称であっても、非対象であっても良い。
また、花柄の伸長抑制部８を設けたことにより、脚口５が伸長してヒップ部上方へずり上がるのを防ぐだけでなく、装飾的な効果もある。
その他の構成は、実施例１と同様なので、同一部分に共通する符号を付して詳細な説明を省略する。
【００１１】
なお、本発明は上記実施例に限定されない。
例えば、女性用ボトム衣類は、ショーツ以外のショートガードル等とすることもでき、ウェスト口４及び脚口５のいずれか一方のみに、その全長に亘って帯状に樹脂をプリントすることも、ウェスト口４の近傍の一箇所に樹脂をプリントして模様を形成することも可能である。
また、樹脂でプリントする模様は、動物、乗物、幾何学模様等としても、ウェスト口４及び脚口５の少なくとも一方の全長に亘って波線等の連続した模様を形成しても良い。さらに、樹脂を塗布して複数のプリント模様を周方向に沿って適宜間隔ごとに施すこともできる。
また、ウェスト口４及び脚口５の近傍の内面に樹脂でプリントして伸長抑制部を形成することも可能であるが、肌に樹脂が接触してかぶれる虞があるため、外面に樹脂プリントを形成するのが望ましい。
【図面の簡単な説明】
【００１２】
【図１】実施例１を示す女性用ボトム衣類の正面図。
【図２】実施例１を示す女性用ボトム衣類の展開図。
【図３】実施例２を示す女性用ボトム衣類の背面図。
【図４】実施例２を示す女性用ボトム衣類の展開図。
【符号の説明】
【００１３】
１，１’  ショーツ
２  前身頃
３  後身頃
４  ウェスト口
５  脚口
６，７，８  伸長抑制部
【図１】
2009215676.tif 000003
【図２】
2009215676.tif 000004
【図３】
2009215676.tif 000005
【図４】
2009215676.tif 000006